(57)【特許請求の範囲】
【請求項１】
水冷式エンジンのエンジン冷却水の水温が低いときは、電気ヒータ（８５）を熱源として車室内の座席（６）の加熱を行ない、エンジン冷却水の水温が高いときは、エンジン冷却水を熱源として前記座席（６）の加熱を行なう車両用空調装置であって、
一端に空気吸込部（１ａ、１ｂ）を備え、他端に、座席（６）以外の所定部位に向けて空気を吹き出す空気吹出部（１１、１２、１３）を備える空調ダクト（１０）と、
前記空調ダクト（１０）の一端から他端にかけて送風する空調用送風手段（２）と、
エンジン冷却水を熱源として前記空調ダクト（１０）内の送風空気を加熱する暖房用熱交換器（４）と、
前記空調ダクト（１０）に接続され、前記暖房用熱交換器（４）にて加熱された温風を前記座席（６）に導く座席加熱用ダクト（８）と、
前記座席加熱用ダクト（８）に内気を導入する内気導入部（９、８ａ）と、
前記座席加熱用ダクト（８）において、前記内気導入部（９、８ａ）側から前記座席（６）側にかけて送風する座席加熱用送風手段（９０）と、
前記座席加熱用ダクト（８）のうち前記内気導入部（９、８ａ）の接続位置よりも上流側部位および前記内気導入部（９、８ａ）を開閉する切替手段（８ｂ）とを備え、
前記電気ヒータ（８５）は、前記座席加熱用ダクト（８）のうち前記内気導入部（９、８ａ）の接続位置よりも下流側部位に設けられており、
前記エンジン冷却水の水温が所定温度以下のときは、前記電気ヒータ（８５）にて加熱された温風を前記座席加熱用ダクト（８）に導入させ、前記エンジン冷却水の水温が所定温度よりも高いときは、前記暖房用熱交換器（４）にて加熱された温風を前記座席加熱用ダクト（８）に導入させることを特徴とする車両用空調装置。
【請求項２】
車室内には、前方座席（６）と、後方座席（６０）とが備えられており、前記座席加熱用ダクト（８）からの温風を、前記前方座席（６）および前記後方座席（６０）の足元に導入することを特徴とする請求項１に記載の車両用空調装置。
【請求項３】
前記座席加熱用ダクト（８）に連結される、自在に変形可能な袋部材（７１）と、前記袋部材（７１）の内部に収容され、前記座席（６）に沿った形状の緩衝部材（７２）と、前記前記袋部材（７１）に設けられる吹出孔（７１ｂ）とにより空気吹出部材（７）を構成し、
この空気吹出部材（７）が、前記座席（６）の内部に設けられており、
前記袋部材（７１）の前記吹出孔（７１ｂ）から前記座席（６）に向けて、前記温風を吹き出すことを特徴とする請求項１または２に記載の車両用空調装置。
【発明の詳細な説明】
【０００１】
【発明の属する技術分野】
本発明は、車室内の座席を加熱する車両用空調装置に関するものである。
【０００２】
【従来の技術】
従来より、上記した車両用空調装置は、車室内前方にエンジン冷却水を熱源とする加熱用熱交換器（ヒータコア）を収容する空調ダクトを備えており、この空調ダクト内にて形成される温風を、乗員頭部やフロントガラス等（座席以外の所定部位）へ向けて吹き出すとともに、この温風を座席まで導いて直接座席から吹き出させて、座席を加熱している。
【０００３】
【発明が解決しようとする課題】
ところで、冬季のような外気温が低いときに、乗員の暖房フィーリングを良好とするためには、座席以外の所定部位よりも、座席を急速に加熱することが必要である、と本発明者らは考えている。
ところが、冬季のように外気温が低いときで、しかも、車両の運転開始直後においては、エンジン冷却水の温度が例えば−２０℃〜０℃と低いため、空調ダクト内に温風が形成できず、座席を加熱できない、といった問題があった。
【０００４】
本発明は上記問題に鑑みてなされたもので、エンジン冷却水の温度が低いときも、座席を良好に加熱することを目的とする。
【０００５】
【課題を解決するための手段】
上記目的を達成するために、請求項１ないし３に記載の発明では、エンジン冷却水の水温が低いときは、電気ヒータ（８５）を熱源として車室内の座席（６）の加熱を行ない、エンジン冷却水の水温が高いときは、エンジン冷却水を熱源として座席（６）の加熱を行なう車両用空調装置であって、
一端に空気吸込部（１ａ、１ｂ）を備え、他端に、座席（６）以外の所定部位に向けて空気を吹き出す空気吹出部（１１、１２、１３）を備える空調ダクト（１０）と、
前記空調ダクト（１０）の一端から他端にかけて送風する空調用送風手段（２）と、
エンジン冷却水を熱源として前記空調ダクト（１０）内の送風空気を加熱する暖房用熱交換器（４）と、
前記空調ダクト（１０）に接続され、前記暖房用熱交換器（４）にて加熱された温風を前記座席（６）に導く座席加熱用ダクト（８）と、
前記座席加熱用ダクト（８）に内気を導入する内気導入部（９、８ａ）と、
前記座席加熱用ダクト（８）において、前記内気導入部（９、８ａ）側から前記座席（６）側にかけて送風する座席加熱用送風手段（９０）と、
前記座席加熱用ダクト（８）のうち前記内気導入部（９、８ａ）の接続位置よりも上流側部位および前記内気導入部（９、８ａ）を開閉する切替手段（８ｂ）とを備え、
前記電気ヒータ（８５）は、前記座席加熱用ダクト（８）のうち前記内気導入部（９、８ａ）の接続位置よりも下流側部位に設けられており、
前記エンジン冷却水の水温が所定温度以下のときは、前記電気ヒータ（８５）にて加熱された温風を前記座席加熱用ダクト（８）に導入させ、前記エンジン冷却水の水温が所定温度よりも高いときは、前記暖房用熱交換器（４）にて加熱された温風を前記座席加熱用ダクト（８）に導入させることを特徴としている。
【０００６】
ここで、電気ヒータ（８５）は、通電されることによりエンジン冷却水に比べて急速に温度が上昇するため、通電した直後から熱源として利用可能である。よって、エンジン冷却水の水温が低いときに、電気ヒータ（８５）を熱源として車室内の座席（６）を良好に加熱できる。
【０００７】
また、エンジン冷却水の水温が所定温度以下であるとき（ウォームアップ時）に、車両用空調装置では、空調ダクト（１０）内の送風を停止しておくような制御が通常なされるが、このときに、本発明によると、空調ダクト（１０）とは別の内気導入部（９、８ａ）から内気を導入でき、この内気を電気ヒータ（８５）にて加熱することにより、温風を座席（６）に送風できる。
【０００８】
また、請求項２に記載の発明では、座席加熱用ダクト（８）からの温風を、前方座席（６）および後方座席（６０）の足元に導入するので、前方座席（６）および後方座席（６０）の暖房を行なうことができる。
また、請求項３に記載の発明では、座席加熱用ダクト（８）に連結される、自在に変形可能な袋部材（７１）の内部に、座席（６）に沿った形状の緩衝部材（７２）を収容してなる空気吹出部材（７）を、座席（６）の内部に設け、袋部材（７１）の吹出孔（７１ｂ）から座席（６）に向けて、温風を吹き出すことを特徴としている。
【０００９】
このような構成によれば、座席（６）の内部に空気吹出部材（７）が設けてあるので、座席（６）の位置が変更しても、常に確実に座席（６）に温風を送風可能となる。なお、空気吹出部材（７）は、自在に変形可能な袋部材（７１）の内部に、座席（６）に沿った形状の緩衝部材（７２）を収容してなるので、座席（６）に乗員が座ったときに、座席（６）の座り心地を良好に保ちつつ、空気吹出部材（７）の形態を保つことができる。
【００１０】
【発明の実施の形態】
以下、本発明を図に示す実施形態について説明する。
（第１の実施形態）
図１において、本実施形態の空調装置１は車室内前方に設けられ、通風経路を形成する樹脂製（例えばポリプロピレン）の空調ダクト１０を備え、この一端側には、室内空気を吸い込む内気吸込口１ａ、および、室外空気を吸い込む外気吸込口１ｂが形成され、さらに、室内空気および室外空気を所定の割合で切り替え導入する、板ドアからなる内外気切替ドア１ｃが設けてある。このドア１ｃは、回転軸１１ｃを中心にして、図１中実線位置と図１中一点鎖線位置との間を回動可能となっている。
【００１１】
空調ダクト１０の他端側には、車室内のうち、座席６以外の所定部位へ空調風（温風、冷風）を吹き出す空気吹出口（図示せず）に、ダクト（図示せず）を介して連通する空気吹出部１１、１２、１３が形成されている。この空気吹出部１１、１２、１３は、車室内乗員の上半身側に空調風を吹き出すセンタフェイス吹出口（図示せず）に、ダクト（図示せず）を介して連通するセンタフェイス吹出部１１、車室内のサイドガラス側に空調風を吹き出すサイドフェイス吹出口（図示せず）に、ダクト（図示せず）を介して連通するサイドフェイス吹出部（図示せず）、車室内のフロントガラス側に空調風を吹き出すデフロスタ吹出口（図示せず）に、ダクト（図示せず）を介して連通するデフロスタ吹出部１２、および、車室内乗員の足元に空調風を吹き出すフット吹出口（図示せず）に連通するフット吹出部１３を有する。
【００１２】
さらに、空調ダクト１０の他端には、上記各吹出部１１、１２、１３を開閉する、板ドアからなる開閉ドア１１０、１２０、１３０が設けられている。このドア１１０、１２０、１３０は、回転軸１１０ａ、１２０ａ、１３０ａを中心にして、図１中実線位置と図１中一点鎖線位置との間を回動可能となっている。
そして、空調ダクト１０内の一端から他端にかけての空気流を発生させる送風ファン２、送風空気を冷却するエバポレータ（冷房用熱交換器）３、送風空気を加熱するヒータコア（暖房用熱交換器）４を、ダクト１内の一端側から他端側にかけて順に配置してある。また、ヒータコア４の上流には、このヒータコア４を通過する空気量と、バイパスする空気量との比を調節する、板ドアからなるエアミックスドア５が配置されている。このドア５は、回転軸５ａを中心にして、図１中実線位置と図１中一点鎖線位置との間を回動可能となっている。
【００１３】
上記エバポレータ３は図示しない圧縮機、凝縮器、受液器、減圧器とともに周知の冷凍サイクルを構成する冷却用熱交換器であり、空調ダクト１０内の空気を冷却、除湿する。上記圧縮機は車両用水冷式エンジンにより電磁クラッチ（図示せず）を介して駆動される。また、上記ヒータコア４はエンジン冷却水を熱源とする加熱用熱交換器であり、上記エバポレータ３にて冷却された冷風を再加熱する。
【００１４】
車室内には、座席６が複数設けられており、この座席６は背部６１および座部６２を有する。背部６１および座部６２は、針金からなる骨組みに沿って、発泡性ウレタン等の緩衝材を配置し、この緩衝材および骨組みの外周部を被覆部材（例えば革等）にて覆ったものである。そして、運転者用の座席（前方の座席）６の背部６１の骨組みの内部には、図２に示すような空気吹出部材７が収容されている。空気吹出部材７は、自在に変形可能な材料（例えば硬化ビニル樹脂等）からなる袋部材７１の内部に、緩衝材（例えば発泡性ウレタン等）からなる、背部６１に沿った形状の形態保持部材７２を収容してなる。なお、形態保持部材７２（図２中斜線で示す）に袋部材７１が接着されている。
【００１５】
袋部材７１の下方部には、後述する座席冷却用ダクト８との連結部７１ａが一体に形成されており、座席６の移動に伴って伸縮可能な長さに形成されている。この連結部７１ａには、逆止弁７３が設けられている。具体的には、接着固定されている。この逆止弁７３により、袋部材７１の内部から外部へ空気が逆流することを防止できる。また、形態保持部材７２には、連結部７１ａに連通するとともに、背部６１全体に空気をゆきわたらせるような形状の空気通路７２ａが形成されている。
【００１６】
また、袋部材７１のうち、乗員の背中が当たる部位には、空気通路７２ａに対応して、袋部材７１の内外を連通する空気吹出孔７１ｂが多数形成されている。この空気吹出孔７１ｂは、直径が例えば１０ｍｍ〜１５ｍｍ程度である。また、背部６１の被覆部材にも、同様にして空気吹出孔（図示せず）が多数形成されている。
【００１７】
そして、空調装置１の空調風を空気吹出部材７へ供給するために、空調装置１の空調ダクト１０の他端側には、座席用吹出部１４が形成されており、この座席用吹出部１４から吹き出す空調風を、袋部材７１の連結部７１ａまで導くための樹脂製の座席加熱用ダクト８が、座席用吹出部１４および袋部材７１の連結部７１ａにそれぞれ連結されている。
この座席加熱用ダクト８は、座席６の下方に配置されている。なお、座席加熱用ダクト８の一端と座席用吹出部１４とが、図示しない締結手段（例えばネジ）にて締めつけ固定されており、座席加熱用ダクト８の他端と袋部材７１の連結部７１ａとが、接着にて固定されている。
【００１８】
また、座席加熱用ダクト８には、この座席加熱用ダクト８内に内気を吸い込むための内気吸込部８ａが開口形成されており、この内気吸込部８ａに、樹脂製の内気導入ダクト９が連結されている。この内気導入ダクト９も、座席６の下方に配置されている。内気導入ダクト９の一端は、車室内のうち、前方の座席６の下方において、その開口部が床面に対向しないように（換言すれば、上方、または略水平な方向を向くように）配置されている。このようにして、乗員の使用スペースを妨げることなく、かつ、車室内の埃等を吸い込むことを抑制しつつ、内気を吸い込むことができる。
【００１９】
また、内気導入ダクト９の他端は、内気吸込部８ａに、上記締結手段にて締めつけ固定されている。また、座席用ダクト８には、この座席加熱用ダクト８内の開閉および内気吸込部８ａの開閉を同時に行なう、板ドアからなる開閉ドア（切替ドア）８ｂが設けられている。
このドア８ｂは、回転軸８１ｂを中心にして、図１中実線位置と図１中一点鎖線位置との間を回動可能となっている。また、内気導入ダクト９には、室内空気を座席加熱用ダクト８側へ送風する送風ファン９０が設けられている。なお、送風ファン２、９０は、共に、遠心式多翼ファン（シロッコファン）からなる。
【００２０】
また、座席加熱用ダクト８内において、前記内気吸込部８ａおよびドア８ｂの下流側には、ＰＴＣヒータ８５が設けてある。ＰＴＣヒータ８５は、正の温度抵抗特性を有し、所定温度（例えば１５０℃）以上で急激に抵抗が増加して電流が流れない（つまり、所定温度以上に発熱しない）ものであり、車両のバッテリを電源としている。ＰＴＣヒータ８５には、このヒータ８５への通電のオン、オフを切り替えるスイッチ８５ａ（図３参照）が設けられている。
【００２１】
このＰＴＣヒータ８５は、長さ：６５ｍｍ×幅：４０ｍｍ×厚さ：１０ｍｍ程度の板形状であり、座席加熱用ダクト８の空気流れに対して垂直に配置してある。これにより、座席冷却用ダクト８の断面積の１割〜２割程度を、ＰＴＣヒータ８５が占めるようになる。このＰＴＣヒータ８５は、座席加熱用ダクト８の壁面に固定されている。また、ＰＴＣヒータ８５には、このヒータ８５と、座席加熱用ダクト８内の空気との熱交換性を向上するための熱交換フィンが設けてある。
【００２２】
ここで、車室内の前面に設けられた図示しないインストルメントパネルには、車室内の希望温度を乗員が手動設定するための温度設定器１０１（図３参照）が設けられている。そして、車室内気の温度を検出する内気温センサ１０２、車室外気の温度を検出する外気温センサ１０３、車室内に照射される日射量を検出する日射センサ１０４、エバポレータ３を通過した直後の空気温度を検出するエバ後センサ１０５、および、エンジン冷却水の温度を検出する水温センサ１０６がそれぞれ設けられている。
【００２３】
そして、温度設定器１０１およびセンサ１０２〜１０６からの信号が、電気制御装置１００に入力される。この電気制御装置１００は、入力された各種信号に基づいて、上記各ドア１ｃ、５、１１０、１２０、１３０（回転軸１１ｃ、５ａ、１１０ａ、１２０ａ、１３０ａ）の回動位置や、送風ファン２の作動停止、上記圧縮機の作動停止、冷却水の断続を行なうウォータバルブの開閉、開閉ドア８ｂの回動位置（回転軸８１ｂの回動位置）、送風ファン９０の作動停止、ＰＴＣヒータ８５の作動停止（スイッチ８５ａのオンオフ）等の制御を行なう。
【００２４】
次に、上記構成において本実施形態の作動を説明する。
なお、冬季において、温度設定器１０１により車室内の希望温度が最高温度（例えば    ℃）に設定された場合について説明する。このときは、制御装置１００により、各ドア１ｃ、５、１１０、１２０、１３０（回転軸１１ｃ、５ａ、１１０ａ、１２０ａ、１３０ａ）の回動位置が所定位置（例えば図１中実線で示す位置）とされ、上記圧縮機を停止状態とされ、ウォータバルブが開かれる。
【００２５】
そして、エンジンの作動を開始させた直後のように、エンジン冷却水の温度が低いとき（ウォームアップ時）、具体的には、水温センサ１０６にて、エンジン冷却水の温度が所定温度（例えば６５℃）より低いことが検出されるとき、制御装置１００により、送風ファン２が停止状態とされ、ドア８ｂが図１中実線で示す位置とされ、送風ファン９０を作動させ、ＰＴＣヒータ８５を作動させる。
【００２６】
これにより、各吹出部１１、１２、１３、および、座席用吹出部１４からは空気が吹き出されず、内気導入ダクト９から導入される内気が、座席加熱用ダクト８内のＰＴＣヒータ８５により加熱され、この温風が、連結部７１ａおよび空気通路７２ａを経て、連通孔７１ｂから座席６の背部６１へ吹き出される。
このように、ＰＴＣヒータ８５により加熱された内気（温風）を、背部６１の内部から外部へ吹き出させることにより、背部６１の加熱を良好に実行可能となる。
【００２７】
従って、車両の運転開始直後のような、エンジン冷却水の温度が低いときに、昇温性に優れるＰＴＣヒータ８５を熱源とすることにより、座席６の加熱を良好に行なうことができる。
また、内気導入ダクト９が座席６の近傍にあるので、ＰＴＣヒータ８５にて加熱するときの通風抵抗は、空調ダクト１０からの温風の通風抵抗より小さく、確実に温風を送風できる。
【００２８】
また、エンジンの作動を開始させてから十分時間が経過して、エンジン冷却水の温度が上昇したとき（定常暖房時）、具体的には、水温センサ１０６にて、エンジン冷却水の温度が所定温度（例えば７０℃）以上であることが検出されるとき、制御装置１００により、送風ファン２を作動させ、ドア８ｂを図１中一点鎖線で示す位置とし、送風ファン９０を停止状態とする。
【００２９】
これにより、内気吸込口１ａや外気吸込口１ｂから吸い込まれた空気が、ヒータコア４において加熱され、この温風が、各吹出部１１、１２、１３、および、座席用吹出部１４から吹き出される。
さらに、座席用吹出部１４から座席加熱用ダクト８に導入された温風は、空気吹出部材７の連結部７１ａおよび空気通路７２ａを経て、連通孔７１ｂから座席６の背部６１へ吹き出される。
このように、空調ダクト１０内のヒータコア４にて加熱された温風（換言すれば、エンジン冷却水を熱源として加熱された温風）を、背部６１の内部から外部へ吹き出させることにより、背部６１の加熱を良好に実行可能となる。
【００３０】
なお、座席６の内部に空気吹出部材７が設けてあるので、座席６の位置が変更しても、常に確実に座席６に温風を送風可能となる。なお、空気吹出部材７は、自在に変形可能な袋部材７１の内部に、座席６に沿った形状の緩衝部材７２を収容してなるので、座席６に乗員が座ったときに、座席６の座り心地を良好に保ちつつ、空気吹出部材７の形態を保つことができる。
【００３１】
また、ＰＴＣヒータ８５を用いているので、座席６への温風の温度を所定温度に保つことができ、温風の温度が上がりすぎることを抑制できる。
また、袋部材７１の空気吹出孔７１ｂの配置場所や形状、大きさ等は自由にレイアウト可能であるので、座席６の所定部位に温風を吹き出させることが容易に実現可能となる。
【００３２】
（第２の実施形態）
本実施形態は、図４に示すように、送風ファン９０を、座席加熱用ダクト８内において、開閉ドア８ｂの下流側で、かつ、ＰＴＣヒータ８５の上流側に配置したものである。なお、送風ファン９０は、このファン９０の上流側（図４中左側）から下流側（図４中右側）にかけてファン９０の軸方向に送風するものであり、軸流ファンからなる。
【００３３】
このように、送風ファン９０を開閉ドア８ｂの下流側に配置し、空調ダクト１０内の送風ファン２からの送風量が減ったときに、送風ファン９０を補助的に作動させることにより、所定量の空気を空気吹出部材７に送風可能となる。
（第３の実施形態）
本実施形態は、上記第２の実施形態を変形したもので、図５に示すように、座席加熱用ダクト８に、後方の座席６０の足元に温風を導く温風導入ダクト８６を一体に設けてある。そして、前方の座席６内の空気吹出部材７、および、座席６０の足元に対する、座席加熱用ダクト８内の温風の吹出風量を切り替える切替ドア８６ａが、温風導入ダクト８６近傍に設けてある。
【００３４】
切替ドア８６ａは、回転軸８６ｂを中心にして、図５中実線位置と図５中一点鎖線位置との間を回動可能となっている。また、インストルメントパネルには、切替ドア８６ａの回動位置を乗員が手動設定するための温風切替スイッチ（図示せず）が設けられている。
これによれば、乗員の好みに応じて、前方の座席６の加熱と、後方の座席６０の足元の加熱とを切り替えることができる。
【００３５】
（他の実施形態）
上記第１の実施形態において、ヒータコア４直後を流れる空気の温度を、エンジン冷却水の温度とみなして、この空気の温度に応じて、上記した制御を行なってもよい。具体的には、ヒータコア４直後を流れる空気の温度を検出する温度センサを設け、この検出信号を制御装置１００に入力する。
【００３６】
また、上記第１の実施形態において、定常暖房時に、開閉ドア８ｂの回動位置を、図１中実線で示す位置と、図１中一点鎖線で示す位置との間の所定位置（例えば、空調ダクト１０側からの送風量：内気導入ダクト９からの送風量＝１：１となるような位置）に設定し、送風ファン９０およびＰＴＣヒータ８５を作動させてもよい。これにより、座席６へ送風される温風の温度を向上できる。なお、上記作動は、例えば、座席の加熱を強化するよう乗員の判断により手動切替される座席加熱強化スイッチのオンオフに連動して実行させる。
【００３７】
また、上記第１の実施形態において、冷房時には、ドア８ｂを図１中一点鎖線で示す位置とし、送風ファン９０およびＰＴＣヒータ８５を停止状態とすることにより、エバポレータ３にて冷却、除湿された冷風を座席６に吹き出させてもよい。これにより、座席６の冷却を良好に行なうことができる。
なお、室内温度が低いとき、つまり、内気が十分に冷却、除湿されたときは、ドア８ｂを図１中実線で示す位置とし、送風ファン９０を作動させることにより、冷却、除湿された内気（冷風）を座席６に吹き出させてもよい。これにより、座席６の冷却を良好に行なうことができる。
【００３８】
また、水温センサ１０６の検出信号に応じて、ドア８ｂの回動位置、および、ファン９０の作動停止を制御していたが、これらの制御を、乗員の判断により手動切替可能としてもよい。
また、制御装置１００により空調装置１をオート制御していたが、乗員の手動操作によるマニュアル制御としてもよい。このとき、内気吸込部８ａ、内気導入ダクト９、ドア８ｂ、および、送風ファン９０を廃止してもよい。
【００３９】
また、電気ヒータとしてＰＴＣヒータ８５を用いていたが、他の種々の電気ヒータ（例えばシースヒータ等）を用いてもよい。
【図面の簡単な説明】
【図１】本発明の第１の実施形態に係わる車両用空調装置の概略的な全体構成図である。
【図２】第１の実施形態に係わる空気吹出部材の正面図である。
【図３】第１の実施形態に係わる電気制御ブロック図である。
【図４】第２の実施形態に係わる車両用空調装置の概略的な部分構成図である。
【図５】第３の実施形態に係わる車両用空調装置の概略的な部分構成図である。
【符号の説明】
６…座席、８５…ＰＴＣヒータ（電気ヒータ）。
【図１】
0003794132.tif 000002
【図２】
0003794132.tif 000003
【図３】
0003794132.tif 000004
【図４】
0003794132.tif 000005
【図５】
0003794132.tif 000006